(57)【要約】【課題】  魚の取り込み具のタモやギャフに変わり、ポケットサイズの軽装化とより高所からの魚の取り込みを可能にするラインガイド式取り込みフックを提供する。【解決手段】  ポケットサイズのケース内に取り込みラインを巻いたリールとスイベルスプリングフックと取り込みルアーを入れ、取り込みラインの先端を取り込みルアーとスイベルスプリングフックに連結したもので、大きな魚を釣ったとき、ケースからスイベルスプリングフックを摘み出して魚の釣れたラインにフックを開いて通して、取り込みラインを手で操りながら取り込みルアーを魚の上に降ろし、取り込みルアー用トリプルフックを魚又はルアーに掛けて魚を楽々取り込むことができ、高所での魚の取り込ができることを特徴とするラインガイド式取り込みフック。【選択図】図１
2012080867.tif 000002
【特許請求の範囲】
【請求項１】
ポケットサイズのケース内を、一枚の真っ直ぐな仕切り板で大小の部屋を設け、仕切り板の突き当たる片方のケースの側面の前後を開口した状態にし、大きい部屋には取り込みラインを巻き込んだリールを入れ、小さな部屋には取り込み用ルアーと該の取り込みルアー本体に連結されたスイベルスプリングフックを入れ、ルアー本体と取り込みラインを連結した状態から、魚が釣れた時に、ケース内からスイベルスプリングフックを摘み出し該のスイベルスプリングフックのレバーを開閉して釣ったラインに通し、取り込みラインを手で操りながら釣れた魚の上に降ろし、取り込みルアー本体下部に付いている取り込みルアー用トリプルフックを、魚又は魚を釣ったルアーに掛けて魚を楽々取り込むことができることを特徴とするラインガイド式取り込みフック。
【請求項２】
釣った魚を取り込む為の釣具であるタモやギャフは携帯上長さが制限されるが、ラインガイド式取り込みフックはタモやギャフよりも高所で魚の取り込みができることを特徴とするラインガイド式取り込みフック。
【発明の詳細な説明】
【技術分野】
【０００１】  本発明は、大きな魚を釣った時使用するタモやギャフに変わるポケットサイズのラインガイド式取り込みフックに関するものである。
【背景技術】
【０００２】  従来、大きな魚を釣った時は持参するタモやギャフを使用していた。
【発明の開示】
【発明が解決しようとしている課題】
【０００３】  そのために、次の問題点があった。
（イ）  常にタモやギャフを持参しながら釣り場や釣り座を移動しなければいけなかったので荷物になり、大変だった。
（ロ）  タモやギャフでは使用上長さに限度がありその為に高所の釣り座に限度があった。
本発明は、以上の問題点を解決しようとするものである。
【課題を解決するための手段】
【０００４】  本発明は、ポケットサイズのケース内を、一枚の仕切り板で大小の部屋を設け、仕切り板の突き当たる片方のケースの側面の前後を開口した状態にし、大きい部屋には取り込みラインを巻き込んだリールを入れ、小さな部屋には取り込み用ルアーと該の取り込みルアー本体に連結されたスイベルスプリングフックを入れ、ルアー本体と取り込みラインを連結した状態から、魚が釣れた時に、ケース内からスイベルスプリングフックを摘み出し該のスイベルスプリングフックのレバーを開閉して釣ったラインに通し、取り込みラインを手で操りながら釣れた魚の上に降ろし、取り込みルアー本体下部に付いている取り込みルアー用トリプルフックを、魚又は魚を釣ったルアーに掛けて魚を楽々取り込むことができることと、釣った魚を取り込む為の釣具であるタモやギャフは携帯上長さが制限されるが、ラインガイド式取り込みフックはタモやギャフよりも高所での魚の取り込みができることを特徴とするラインガイド式取り込みフック。
【発明の効果】
【０００５】（イ）  本発明は、タモやギャフの代わりに使用するもので、ポケットサイズの為、軽装化となり、フットワークが良くなり楽に釣りができる。
（ロ）  タモやギャフよりも高所の釣り座で使用できる。
【発明を実施するための最良の形態】
【０００６】  以下、本発明の実施の形態を説明する。
（イ）  図４に示す、プラスチック材からなるポケットサイズのケース（１）は、中に仕切り板（８）で大小の部屋を設け、上面には開口部小（９）と開口部大（１０）を設け、正面の開口部は図３に示すカバー（２）を着脱する。
（ロ）  図５に示す、リール（３）に取り込みライン（４）を巻き込み、取り込みライン（４）の先端は取り込みルアー本体（６）に結び、延長でスイベルスプリングフック（５）に結んだ状態のものを設ける。
（ハ）  図５に示す、（ロ）の状態を、図４に示すケース（１）に、取り込みライン（４）が巻き込まれたリール（３）を、仕切り板（８）でできた大きな部屋に入れ込み、もう片方の小さな部屋にはスイベルスプリングフック（５）と取り込みルアー本体（６）と、該のスイベルスプリングフック（５）に取り付けられた取り込みルアー用トリプルフック（７）を入れ込み、図２に示す状態となるが、取り込みライン（４）は、仕切り板（８）の上に乗る。
（ニ）  図２に示す、（ハ）の状態から、図３に示すカバー（２）を取り付け、図１に示す状態にする。
本発明は、以上の構成よりなっている。
本発明を使用するときは、
（イ）  図１に示す状態を、釣り人本人のポケットまたはバッグの取り出し易い個所に入れて釣りをする。
（ロ）  図８に示す、釣った魚（１５）が重くて、ロッド（１２）やライン（１３）の抜き上げ能力不足と思ったときに、魚（１５）を下まで寄せポケットまたはバッグから図１の状態で入っているケース（１）からスイベルスプリングフック（５）を摘み出す。
（ハ）  摘み出したスイベルスプリングフック（５）は、図６に示すようにフック部は閉じられたリング状態であるが、図７に示すように、レバー（１１）を引きフック部を開く。
（ニ）  図８に示すように、図７に示すスイベルスプリングフック（５）の開かれたフック部に、ロッド（１２）の先端であるライン（１３）を通してから閉じ込み取り込みルアー本体（６）と共に取り込みライン（４）を手で操りながら魚（１５）の上に降ろし、魚（１５）またはルアー（１４）に取り込みルアー用トリプルフック（６）を掛けて取り込むことができる。
【図面の簡単な説明】
【０００７】
【図１】  本発明の斜視図
【図２】  本発明のカバーを取り外した状態を示す斜視図
【図３】  本発明のカバーの斜視図
【図４】  本発明のケースの斜視図
【図５】  本発明のケース内から取り出した物の状態を示す斜視図
【図６】  本発明のスイベルスプリングフックの通常の状態を示す斜視図
【図７】  本発明のスイベルスプリングフックのレバーを引いた時の状態を示す斜視図
【図８】  本発明の使用状態を示す斜視図
【符号の説明】
【０００８】  １      ケース
２      カバー
３      リール
４      取り込みライン
５      スイベルスプリングフック
６      取り込みルアー本体
７      取り込みルアー用トリプルフック
８      仕切り板
９      開口部小
１０      開口部大
１１      レバー
１２      ロッド
１３      ライン
１４      ルアー
１５      魚
【図１】
2012080867.tif 000003
【図２】
2012080867.tif 000004
【図３】
2012080867.tif 000005
【図４】
2012080867.tif 000006
【図５】
2012080867.tif 000007
【図６】
2012080867.tif 000008
【図７】
2012080867.tif 000009
【図８】
2012080867.tif 000010